【手続補正書】
【提出日】平成29年11月13日(2017.11.13)
【手続補正１】
【補正対象書類名】特許請求の範囲
【補正対象項目名】全文
【補正方法】変更
【補正の内容】
【特許請求の範囲】
【請求項１】
シートを搬送する搬送部と、
第１の位置と、前記第１の位置と異なる第２の位置と、に移動可能であり、シートを案内する案内部材と、
駆動源と、
遊星ギヤと、前記遊星ギヤと噛み合う太陽ギヤと、前記遊星ギヤを自転可能に支持しつつ前記遊星ギヤと一体的に前記太陽ギヤと同軸線上で回転する遊星キャリアと、前記遊星ギヤと噛み合い前記太陽ギヤと同軸線上で回転する内歯ギヤと、を有する遊星ギヤ機構と、を備え、
前記案内部材は、前記遊星ギヤ機構を介した前記駆動源の駆動力によって移動し、
前記搬送部は、前記遊星ギヤ機構を介した前記駆動源の駆動力によってシートを搬送する、
ことを特徴とするシート搬送装置。
【請求項２】
前記案内部材を当接させて前記第１の位置で停止させる第１の当接部と、
前記案内部材を当接させて前記第２の位置で停止させる第２の当接部と、を備える、
ことを特徴とする請求項１に記載のシート搬送装置。
【請求項３】
前記搬送部は、前記案内部材が前記第１の位置と前記第２の位置との間を移動している間は駆動されず、かつ前記案内部材が前記第１の位置もしくは第２の位置で停止している間は駆動される、
ことを特徴とする請求項１又は２に記載のシート搬送装置。
【請求項４】
前記案内部材は、前記第１の位置で停止しているときは、シートを前記搬送部に向けて案内する、
ことを特徴とする請求項１乃至３のいずれか１項に記載のシート搬送装置。
【請求項５】
前記搬送部を第１の搬送部とし、
シートを搬送する第２の搬送部を更に備え、
前記案内部材は、前記第１の位置で停止しているときに、シートを前記第１の搬送部に向けて案内し、かつ前記第２の位置で停止しているときに、シートを前記第２の搬送部に向けて案内する、
ことを特徴とする請求項１乃至４のいずれか１項に記載のシート搬送装置。
【請求項６】
前記駆動源から前記遊星ギヤ機構に入力される駆動方向を切り替えるアクチュエータを備え、
前記駆動方向の切り替えによって、前記搬送部におけるシートの搬送方向が切り替わる、
ことを特徴とする請求項１乃至４のいずれか１項に記載のシート搬送装置。
【請求項７】
前記駆動源の駆動方向の切り替えによって、前記搬送部におけるシートの搬送方向が切り替わる、
ことを特徴とする請求項１乃至４のいずれか１項に記載のシート搬送装置。
【請求項８】
シートにトナー画像を形成する画像形成部と、
前記画像形成部において前記トナー画像が形成されたシートを搬送しながら、前記トナー画像をシートに定着させる定着部と、
前記定着部を通過したシートを機外に排出する第１の搬送部と、
前記定着部を通過したシートを機外に排出する方向に搬送した後、シートの搬送方向を、シートを機外に排出する方向と反対方向に切り替えて、シートを再度、前記画像形成部に向けて搬送する第２の搬送部と、
シートを前記第１の搬送部に案内する第１の位置と、シートを前記第２の搬送部に案内する第２の位置と、に移動可能な案内部材と、
駆動源と、
遊星ギヤと、前記遊星ギヤと噛み合う太陽ギヤと、前記遊星ギヤを自転可能に支持しつつ前記遊星ギヤと一体的に前記太陽ギヤと同軸線上で回転する遊星キャリアと、前記遊星ギヤと噛み合い前記太陽ギヤと同軸線上で回転する内歯ギヤと、を有する遊星ギヤ機構と、を備え、
前記案内部材は、前記遊星ギヤ機構を介した前記駆動源の駆動力によって移動し、
前記第２の搬送部は、前記遊星ギヤ機構を介した前記駆動源の駆動力によってシートを搬送する、
ことを特徴とする画像形成装置。
【請求項９】
前記案内部材を当接させて前記第１の位置で停止させる第１の当接部と、
前記案内部材を当接させて前記第２の位置で停止させる第２の当接部と、を備える、
ことを特徴とする請求項８に記載の画像形成装置。
【請求項１０】
前記第２の搬送部の駆動速度は、前記案内部材が前記第１の位置と前記第２の位置の間を移動している間よりも、前記案内部材が前記第１の位置もしくは前記第２の位置で停止している時の方が速い、
ことを特徴とする請求項８又は９に記載の画像形成装置。
【請求項１１】
前記駆動源から前記遊星ギヤ機構に入力される駆動方向を切り替えるアクチュエータを備え、
前記駆動方向の切り替えによって、前記定着部を通過したシートが前記第１の位置に位置する前記案内部材によって前記第１の搬送部に案内されて前記第１の搬送部によって搬送される第１のモードと、前記定着部を通過したシートが前記第２の位置に位置する前記案内部材によって前記第２の搬送部に案内されて前記第２の搬送部によって搬送される第２のモードと、が切り替えられる、
ことを特徴とする請求項８乃至１０のいずれか１項に記載の画像形成装置。
【請求項１２】
前記駆動源の駆動方向の切り替えによって、前記定着部を通過したシートが前記第１の位置に位置する前記案内部材によって前記第１の搬送部に案内されて前記第１の搬送部によって搬送される第１のモードと、前記定着部を通過したシートが前記第２の位置に位置する前記案内部材によって前記第２の搬送部に案内されて前記第２の搬送部によって搬送される第２のモードと、が切り替えられる、
ことを特徴とする請求項８乃至１０のいずれか１項に記載の画像形成装置。
【請求項１３】
前記第１の搬送部は、前記内歯ギヤから出力された駆動力によって駆動される第１の駆動ローラと、前記第１の駆動ローラに接触して第１のニップ部を形成する第１の回転体と、で構成され、前記第１のニップ部においてシートを搬送し、
前記第２の搬送部は、前記第１の駆動ローラと、前記第１の駆動ローラと接触して第２のニップ部を形成する第２の回転体と、で構成され、前記第２のニップ部においてシートを搬送する、
ことを特徴とする請求項８乃至１２のいずれか１項に記載の画像形成装置。
【手続補正２】
【補正対象書類名】明細書
【補正対象項目名】０００７
【補正方法】変更
【補正の内容】
【０００７】
本発明は、シート搬送装置において、シートを搬送する搬送部と、第１の位置と、前記第１の位置と異なる第２の位置と、に移動可能であり、シートを案内する案内部材と、駆動源と、遊星ギヤと、前記遊星ギヤと噛み合う太陽ギヤと、前記遊星ギヤを自転可能に支持しつつ前記遊星ギヤと一体的に前記太陽ギヤと同軸線上で回転する遊星キャリアと、前記遊星ギヤと噛み合い前記太陽ギヤと同軸線上で回転する内歯ギヤと、を有する遊星ギヤ機構と、を備え、前記案内部材は、前記遊星ギヤ機構を介した前記駆動源の駆動力によって移動し、前記搬送部は、前記遊星ギヤ機構を介した前記駆動源の駆動力によってシートを搬送する、ことを特徴とする。
【手続補正３】
【補正対象書類名】明細書
【補正対象項目名】０００８
【補正方法】変更
【補正の内容】
【０００８】
また、本発明は、画像形成装置において、シートにトナー画像を形成する画像形成部と、前記画像形成部において前記トナー画像が形成されたシートを搬送しながら、前記トナー画像をシートに定着させる定着部と、前記定着部を通過したシートを機外に排出する第１の搬送部と、前記定着部を通過したシートを機外に排出する方向に搬送した後、シートの搬送方向を、シートを機外に排出する方向と反対方向に切り替えて、シートを再度、前記画像形成部に向けて搬送する第２の搬送部と、シートを前記第１の搬送部に案内する第１の位置と、シートを前記第２の搬送部に案内する第２の位置と、に移動可能な案内部材と、駆動源と、遊星ギヤと、前記遊星ギヤと噛み合う太陽ギヤと、前記遊星ギヤを自転可能に支持しつつ前記遊星ギヤと一体的に前記太陽ギヤと同軸線上で回転する遊星キャリアと、前記遊星ギヤと噛み合い前記太陽ギヤと同軸線上で回転する内歯ギヤと、を有する遊星ギヤ機構と、を備え、前記案内部材は、前記遊星ギヤ機構を介した前記駆動源の駆動力によって移動し、前記第２の搬送部は、前記遊星ギヤ機構を介した前記駆動源の駆動力によってシートを搬送する、ことを特徴とする。
【手続補正４】
【補正対象書類名】明細書
【補正対象項目名】０００９
【補正方法】変更
【補正の内容】
【０００９】
本発明によれば、低消費電力化が可能である。